(57)【要約】      （修正有）【課題】既成の柱、軒先の横桁などに、簡単に取付けることが出来て、幟旗などが風に煽られても、支持杆に絡み着かない、幟旗等の掲吊具を提供する。 【解決手段】柱等Ｐに固定する固定体３から水平方向に、幟旗等７を掲吊する横長の支持杆２が、突設された掲吊具１において、前記支持杆２の前後部位には、旗吊環５が、杆周を回転可能に配設され、旗吊環５に幟旗等７を吊装するように構成された幟旗等の掲吊具１。【選択図】図１
2006113223.tif 000002
【特許請求の範囲】
【請求項１】
柱等に固定する固定体から水平方向に、幟旗等を掲吊する横長の支持杆が突設された掲吊具において、前記支持杆の前後部位には、旗吊環が、杆周を回転可能に配設され、旗吊環に幟旗等を吊装するように構成されたこと、を特徴とする幟旗等の掲吊具。
【請求項２】
前記旗吊環は、螺旋状環であることを特徴とする請求項１に記載された幟旗等の掲吊具。
【請求項３】
前記旗吊環は成形体で、杆装孔の下部に紐孔が形成されている事を特徴とする請求項１に記載された幟旗等の掲吊具。
【発明の詳細な説明】
【技術分野】
【０００１】
本発明は、幟旗等の掲吊具に係り、特に既成の柱などに基端部を、簡単に装着することができて、風に煽られた旗が支持杆の周りを回転することによって、まとわり着くことのない、幟旗等の掲吊具に関する。
【背景技術】
【０００２】
従来、例えば祭礼などの幟旗などを掲揚する場合、ポールを地面や床に立てて、垂直なポールに幟旗などを掲揚している。 前記ポールを立てるには、ポールの固定をしなければならず、作業労力などが必要となる。またポールが人の通行に邪魔になるという問題があった。   
【発明の開示】
【発明が解決しようとする課題】
【０００３】
また、水平な支持杆に幟旗を掲吊した時、風に煽られて舞い上った幟旗は、支持杆にまとわりついて、幟旗の表示が見えなくなり、これを元に戻すことが大変な手間である。
この発明は、既成の柱、軒先の横桁などに、簡単に取付けることが出来て、風に煽られても、幟旗等が支持杆を回転することによって、元通りに吊りさがる、幟旗等の掲吊具を提供することを目的としている。
【課題を解決するための手段】
【０００４】
この発明は、前記課題を解決し目的を達成するために、前後に長い支持杆の前後部位に、回転可能に旗吊環が配設され、該旗吊環に幟旗等を吊装するようにした。発明の具体的な内容は次の通りである。
【０００５】
(1)  柱等に固定する固定体から水平方向に、幟旗等を掲吊する横長の支持杆が突設された掲吊具において、前記支持杆の前後部位には、旗吊環が、杆周を回転可能に配設され、旗吊環に幟旗等を吊装するように構成された、幟旗等の掲吊具。
【０００６】
(2)  前記旗吊環は、螺旋状環である、前記(1)に記載された、幟旗等の掲吊具。
【０００７】
(3)  前記旗吊環は成形体で、杆装孔の下部に紐孔が形成されている、前記(1)に記載された、幟旗等の掲吊具。
【発明の効果】
【０００８】
本発明によると次のような効果がある。
(1)  請求項１に記載された発明の幟旗等の掲吊具は、支持杆の前後端縁部に、旗吊環が、杆周を回転可能に配設され、該旗吊環に幟旗等を吊装するように構成されているので、風に煽られて舞い上がった幟旗などは、幟旗等の上角隅を固定している旗吊環が、杆周を回転するために、元通りに吊り下る。
【０００９】
(2)  請求項２に記載された発明の幟旗等の掲吊具は、旗吊環が、螺旋状環に形成されているので、固定体に固定されている支持杆に、螺旋状環の旗吊環を、螺旋を伸ばしながら横から装着させることができる。  
【００１０】
(3)  請求項３に記載された発明の幟旗等の掲吊具は、旗吊環が樹脂成形の成形体で、支持杆に杆装孔を外嵌させて、下部の紐孔に幟旗の吊紐を挿通して固定させるので、幟旗などを固定させやすいし、回転も容易。
【発明を実施するための最良の形態】
【００１１】
押出成形で支持杆を成形し、固定体の基体前面に水平に、支持杆の基端部を嵌合させる。支持杆に旗吊環を前後に装着する。
【実施例１】
【００１２】
本願発明の実施の形態例を、図面を参照して説明する。図１は本発明に係る幟旗等の掲吊具の側面図、図２は平面図、図３は旗吊環の側面図、図４は旗吊環の拡大正面図である。
【００１３】
図において幟旗等の掲吊具(1)は、支持杆(2)と、支持杆(2)の基端部に装着される固定体(3)とから構成されている。  
【００１４】
固定体(3)は、平面において側部が後方へ湾曲した板状の基体(3a)の、側面における高さが、例えば５ｃｍ〜１５ｃｍで、図３に示すように、側面において基体(3a)前部の縦中間部に、前記支持杆(2)の基端部を嵌装する取付部(3b)が形成されている。
【００１５】
取付部(3b)は、前部に開口を有する水平な管体に形成され、その上下部に取付板(3c)が形成されている。該取付板(3c)には側面において、それぞれ側方へ貫通する紐孔(3d)が形成されている。該紐孔(3d)には、固定体(3) を既成のポール（Ｐ）などに固定するための締結帯(4)が装着されている。
【００１６】
締結帯(4)は、原則的には、どのようなものでも良いが、図においては、例えば幅８ｍｍ程度の樹脂帯が示され、端部に嵌合部(4a)が形成されている。嵌合部(4a)には樹脂帯の通る挿孔に舌体（図示せず）が形成され、該舌体が樹脂帯側面の凹凸に噛合して止める。
【００１７】
支持杆(2)は、合成樹脂製の主部(2a)の先端部に、先蓋(2b)が被着されるように構成されている。主部(2a)の長さは例えば３０ｃｍ〜８０ｃｍ、直径は例えば１０ｍｍ〜２０ｍｍ。主部(2a)の基端部は、固定体(3)の取付部(3b)に固定されている。図２中符号(2c)は幟旗などの紐を通す紐孔である。
【００１８】
該支持杆(2)は、押出成形とし、管体にすることができる。断面は円形、楕円形、方形、略三角形、など任意の形に形成することができる。また、多色の一体押出成形により、色縞状に形成することができる。また螢光剤、反射材などを混在させることができる。
【００１９】
前記旗吊環(5)は、図４に例示するように、正面で縦長板状の成形体で、上部に支持杆(2)を通す杆装孔(3a)が貫通形成され、下部に紐孔(5b)が貫通形成されている。
前記固定体(3)に支持杆(2)の基端部を固定した後、支持杆(2)の先端部から旗吊環(5)の杆装孔(5a)を外嵌させて、旗吊環(5)を支持杆(2)の前後に配し、支持杆(2)の先端部に先蓋(2b)を固定する。
【００２０】
また基端方の旗吊環(5)前部において、支持杆(2)に止材(6)を固定させ、また先端方の旗吊環(5)の後部において、支持杆(2)に止材(6)を固定させることによって、旗吊環(5)は前後に移動が抑止され、杆周については回転が可能となる。
【００２１】
上記のように構成された、この幟旗等の掲吊具(1)は、図１に示すように、固定体(3)を、既成のポール(Ｐ)に取付ける。締結帯(4)を締めることにより、固定体(3)の後部がポール(Ｐ)に固定される。
【００２２】
ポール（Ｐ）は水平、斜めでも固定体(3)を固定することができる。
この場合、固定体(3)の基体(3a)の後面に、図示しない任意の滑止材ないしクッション材を配設することにより、強固に固定させることができる。
【００２３】
幟旗(7)等は、例えば横８０ｃｍ、縦１２０ｃｍ等で、上左右端部に乳(7b)が形成され、乳(7b)に吊紐(7a)が配設されている。また、上端縁部には袋部(7c)が形成されて、中に防皺体が配設される。
【００２４】
上記の構成で、支持杆(2)の前後の旗吊環(5)に、例えば図１のように幟旗(7)等を吊紐(7a)を介して吊下げる。幟旗(7)等の吊紐(7a)は、前記旗吊環(5)の紐孔(5b)に貫通させて結び付けることにより、風が吹いても幟旗(7)などが飛ぶことはない。
【００２５】
また風に幟旗(7)が煽られて舞い上っても、吊紐(7a)が支持杆(2)に絡み着きにくく、旗吊環(5)が、支持杆(2)の周りを回転することによって、幟旗(7)は元通りに垂れ下がる。
幟旗(7)等の上端縁部の袋部(7c)に、図示しない防皺体が直線状に入っているので、幟旗(7)などの上部が、弛んだり皺が生じることがない。  
【実施例２】
【００２６】
図５は、本発明の第２実施例を示す、幟旗等の掲吊具(1)の要部側面図である。前例と同じ部位には、同じ符号を付して説明を省略する。この実施例は、旗吊環(5)を螺旋状環にしたものである。素材は金属、合成樹脂など任意である。図５では１部が２重になっているが３重以上でも良い。また支持杆(2)の長さいっぱいでもかまわない。
【００２７】
このように構成された螺旋状環の旗吊環(5)は、既設の掲吊具の支持杆(2)に、横から旗吊環(5)の螺旋環を、引延ばしながら装着させることが出来る。
【００２８】
図６は、旗吊環(5)の第３実施例を示す正面図である。前例と同じ部位には同じ符号を付して説明を省略する。この実施例は正面図で円盤形の成形体で、回転バランスがよく、回転し過ぎる事がない。
【００２９】
図７は、旗吊環(5)の第４実施例を示す斜視図である。前例と同じ部位には同じ符号を付して説明を省略する。この実施例は正面で左右に二つ割りに形成したものである。インジェクションで形成することができ、接合は左右接合面の凹凸嵌合、ネジ締め、接着など任意である。これは既成で、図１における先蓋(2b)の固定されたものに、容易に配設することができる。
【００３０】
なおこの発明は、前記実施例に限定されるものではなく、目的に沿って適宜設計変更をすることができる。
前記旗吊環(5)は、幟旗(7)の横幅が広い時には、３個、４個使用することができる。
【産業上の利用可能性】
【００３１】
祭礼などで使用する幟旗や、提灯、商店街の売出し宣伝垂れ幕、万国旗などの掲吊に使用することができる。  
【図面の簡単な説明】
【００３２】
【図１】本発明に係る幟旗等の掲吊具の側面図である。
【図２】本発明に係る幟旗等の掲吊具の平面図である。
【図３】本発明に係る幟旗等の掲吊具の固定体との関係を示す側面図である。
【図４】本発明幟旗等の掲吊具の旗吊環の正面図である。
【図５】本発明第２実施例を示す幟旗等の掲吊具の要部側面図である。
【図６】本発明幟旗等の掲吊具の旗吊環の第３実施例正面図である。
【図７】本発明幟旗等の掲吊具の旗吊環の第４実施例斜視図である。
【符号の説明】
【００３３】
(1)幟旗等の掲吊具
(2)支持杆
(2a)主部
(2b)先蓋
(2c)紐孔
(3)固定体
(3a)基体
(3b)取付部
(3c)取付板
(3d)紐孔
(4)締結帯
(4a)嵌合部
(5)旗吊環
(5a)杆装孔
(5b)紐孔
(6)止材
(7)幟旗
(7a)吊紐
(7b)乳
(7c)袋部
【図１】
2006113223.tif 000003
【図２】
2006113223.tif 000004
【図３】
2006113223.tif 000005
【図４】
2006113223.tif 000006
【図５】
2006113223.tif 000007
【図６】
2006113223.tif 000008
【図７】
2006113223.tif 000009